(57)【要約】【課題】靴下を着用して歩行した際に、靴下脚部の正面から足部の胛部までの編地に編み込まれた弾性糸の弾発力によって、爪先を上げ易く、歩幅を広くした歩行を可能とし、脚部の脹脛の締め付けを、圧力を感じやすい部分だけ弱くすることで長時間の着用でも窮屈感の少ない靴下を得る。【解決手段】環状の口ゴム部に続いて編成された脚部の、脚部正面部から脚部に続いて編成された足部の胛部までの編地に、弾性糸を編み込み、足部先端が上方に屈折するよう付勢させてなる。また、脚部正面部及び胛部上面の編地のコース数を、脹脛部及び足部底部より少なくしてなる。更に、脚部正面部及び胛部上面の弾性糸編み込み範囲を爪先部の胛部まで延在させ、爪先部底部は足底と同じ糸違いで編成してなる。【選択図】図１
2015089978.tif 000002
【特許請求の範囲】
【請求項１】
環状の口ゴム部に続いて編成された脚部の、脚部正面部から脚部に続いて編成された足部の胛部までの編地に、弾性糸を編み込み、足部先端が上方に屈折するよう付勢させたことを特徴とするウォーキング用ソックス。
【請求項２】
脚部正面部及び胛部上面の編地のコース数を、脹脛部及び足部底部より少なくしたことを特徴とする請求項１記載のウォーキング用ソックス。
【請求項３】
脚部正面部及び胛部上面の弾性糸編み込み範囲を爪先部の胛部まで延在させ、爪先部底部は足底と同じ糸違いで編成したことを特徴とする請求項１又は２記載のウォーキング用ソックス。 
【発明の詳細な説明】
【技術分野】
【０００１】
本発明は、ウォーキング時に着用することによって、足先を前方に蹴り出す力を歩行中に得て歩行時に爪先を上げ易く楽に足捌きが出来、かつ、日常生活の場で着用しても、つまづき防止効果等でも有効なウォーキング用ソックスに関する。
【背景技術】
【０００２】
現在日常的に身体を鍛える手段の１つとしてウォーキングが盛んに行われている。そして、ウォーキング時の足の動きを規制して、より効果的な動きを身体に科するという目的のために使用する靴下（特許文献１）などが知られている。
【０００３】
前記靴下は、土踏まず部，足首部，その他複数位置に締付部を設けることによって着用時、足首の位置で固定する作用が得られ、靴下全体が前後方向にずれることが抑制される。
然し、上記締付部の存在により、靴下着用時の靴下妄動は収まるが、歩行時に爪先を上げ易く、ウォーキング時の運動効率アップと云う事には繋がらない。
【先行技術文献】
【特許文献】
【０００４】
【特許文献１】特許第５１０２６１１号公報
【特許文献２】実用新案登録第３１０３６８７号公報
【発明の概要】
【発明が解決しようとする課題】
【０００５】
本発明靴下は、上記の点に鑑みて、靴下を着用して歩行した際に、靴下脚部の正面から足部の胛部までの編地に編み込まれた弾性糸の弾発力によって、爪先を上げ易く、歩幅を広くした歩行を可能とし、更に、脚部の脹脛の締め付けを、圧力を感じやすい部分だけ弱くすることで長時間の着用でも窮屈感の少ない靴下を得ることを目的とする。
【課題を解決するための手段】
【０００６】
請求項１記載の靴下は、環状の口ゴム部に続いて編成された脚部の、脚部正面部から脚部に続いて編成された足部の胛部までの編地に、弾性糸を編み込み、足部先端が上方に屈折するよう付勢させてなる。
請求項２記載の靴下は、足部前面及び胛部上面の編地のコース数を、脹脛部及び足部底部より少なくしてなる。
請求項３記載の靴下は、請求項１又は２記載の靴下において足部前面の弾性糸編み込み範囲を爪先部の胛部まで延在させ、爪先部底部は足底と同じ糸違いで編成してなる。
【発明の効果】
【０００７】
本発明ウォーキング用ソックスは、脚部の正面部から足部の胛部までの編地に弾性糸を編み込み、弾性糸を編み込んだ編地のコース数を、前記正面部及び胛部以外のコース数より少なくすることにより、前記正面部，胛部で靴下経方向の伸縮性を強くしたため、歩行時に爪先部を上げ易く歩幅を広くすることが出来るばかりでなく、普段の生活作業時にも有効に働き、日常生ずるつまづき等の障害の発生も防止する効果も期待できる。
爪先を上げ易くする機能は、靴下経方向の伸縮性を強くした編地が長い程発揮できるので、ハイソックスなどの丈の長いものであることが好ましいが、クルーソックスやニーハイソックスも含め、安定した効率の良いウォーキングが出来る。
【図面の簡単な説明】
【０００８】
【図１】本発明靴下の一例側面図。
【発明を実施するための形態】
【０００９】
本発明靴下１の実施の一例を図面と共に次に説明する。本発明靴下１は脚部正面部２と脚部背面の脹脛部３との靴下１の前部と後部とを編み分けることが出来るインターシャ靴下編機により編成する。口ゴム部４から編成を開始し、所定コース数筒状に編成した後、脚部５の編地として筒状に編成し、続いて踵部６，足部７，爪先部８の編地の編成を行う。その間、筒状体に編成された脚部５の脚部正面部２と、脚部正面部２に続く足部７の胛部９とに、ゴム糸或はゴム糸に相当する伸縮性のポリウレタン弾性糸を編み込んで伸縮性編地１０としている。図１に斜線でその範囲を示す。
【００１０】
また、前記弾性糸を編み込んだ伸縮性編地１０は、脚部正面部２，胛部９のみではなく、踵部６の、足首１１側と足部７側との両側にアーチサポート１２状に配している。
アーチサポート１２状に配された伸縮性編地１０は、足首１１及び足部７を強固に固定し、所定方向に引かれようとする伸縮性編地１０の牽引に対し抵抗し、位置のずれるのを防止している。
【００１１】
上記脚部正面部２に配した弾性糸を有する伸縮性編地１０は、口ゴム部４から下がり、足首１１に近付く程その範囲を広くしている。これは、伸縮糸を使用した編地の範囲を足首の屈折部位に近付く程広くして伸縮性編地１０が足部７に近付く程上方に編地１０を引き上げようとする力の付与を高めるようにしているのである。これにより歩行時に爪先を上げ易く、ウォーキング時の運動効率アップを可能としている。
【００１２】
上記の如く、弾性糸は脚部正面部２だけにニットし、ニットを構成する編目数を脹脛部３より脚部正面部２を少なくすることで脚部正面部２，胛部９で経方向の伸縮性を強くし、歩行時の爪先を上げ易くし、歩幅を広くすることが出来、その結果効率の良いウォーキングが出来る。
また、ハイソックスの場合にはこの構造により、足首から脹脛にかけて段階的に緊締力が弱まり、着用中の静脈還流のポンプアップ効果が得られると共に、脹脛の締め付けが圧力を感じやすい部分だけ弱くすることができ、長時間の着用でも窮屈感の少ない着圧ハイソックスとなる。
弾性糸入りインターシャ編み靴下の足部胛部側と底部との組織の例を表１，表２に示す。
【００１３】
【表１】
2015089978.tif 000003
【表２】
2015089978.tif 000004
その他には、前後共にタック，フロート組織による組み合わせや胛部側のその他糸未使用、その他糸とゴム糸の配置組合せなどの違いによる胛側、底側の組合せなどが考えられる。
【００１４】
本発明靴下は、脚部正面部２から足部７の胛部９まで伸縮性編地１０を配しているが、その際，弾性糸と他糸を２コースずつ交互に編成し、タック編やフロート編を組み合わせることで、実質上、伸縮性編地１０のコース数を脹脛部３或は足部の底部１３のコース数より少なくしている。
【実施例】
【００１５】
本発明ウォーキング用ソックスの糸使いの例を次に示す。
図１に示す伸縮性編地１０は、表糸として綿３０番双糸と弾性糸を、裏糸として２０ｄポリウレタン弾性糸を７０ｄナイロンでカバリングしてなるＦＴＹ糸と５０ｄ双糸のウーリーナイロンを引き揃えた糸をプレーティング編成し、表糸を編地の表面に位置するようにしている。
【符号の説明】
【００１６】
１  靴下
２  脚部正面部
３  脹脛部
４  口ゴム部
５  脚部
６  踵部
７  足部
８  爪先部
９  胛部
１０  伸縮性編地
１１  足首
１２  アーチサポート
１３  底部 
【図１】
2015089978.tif 000005